(57)【要約】【課題】電柱などの柱状立設体を任意の位置に変位させて支持することができるようにした根かせを提供することを課題とする。【解決手段】この根かせは、表面１１から裏面１２まで貫通した長孔１３を長さ方向に設けた一定の長さを有する支持部材１０と、該支持部材１０の表面１１又は裏面１２上をスライドし、一対の通孔２３，２３を設けた係止部材２０と、該係止部材２３との間に電柱１を半周程度巻き付き、両端部が前記係止部材の各通孔２３，２３から前記支持部材１０の長孔１３を貫通し、電柱１を係止部材２０に引き寄せて宛がうとともに、係止部材２０と前記支持部材１０とを一体化する固定具３０と、前記支持部材１０の表面１１又は裏面１２に重ね合わされて固定される拡張支持部材４０とを備えている。【選択図】図１
2011084971.tif 000002
【特許請求の範囲】
【請求項１】
表面から裏面まで貫通した長孔を長さ方向に設けた一定の長さを有する支持部材と、
該支持部材の表面又は裏面上をスライドし、一対の通孔を設けた係止部材と、
該係止部材との間に柱状立設体を半周程度巻き付き、両端部が前記係止部材の各通孔から前記支持部材の長孔を貫通し、柱状立設体を係止部材に引き寄せて宛がうとともに、係止部材と前記支持部材とを一体化する固定具と、
前記支持部材の表面又は裏面に重ね合わされて固定される拡張支持部材とを備えていることを特徴とする根かせ。
【請求項２】
前記拡張支持部材は、前記支持部材の長孔内に挿入される軸部と、支持部材の任意の位置に固定されるように軸部に締結される締結具とを備えていることを特徴とする請求項１に記載の根かせ。
【請求項３】
前記係止部材は、嵩高に形成され、一対の通孔を長さ方向に長く形成したものであることを特徴とする請求項１又は２に記載の根かせ。
【請求項４】
前記拡張支持部材は、前記支持部材の長孔と交差する方向の複数本のスライド用孔を設け、該各スライド用孔から突出する掛止用孔を複数設け、該係止用孔から前記支持部材の長孔に挿通される軸部及び該軸部に締結される締結具を備えていることを特徴とする請求項１ないし３のいずれか一項に記載の根かせ。
【発明の詳細な説明】
【技術分野】
【０００１】
本発明は、電柱や支柱などの柱状立設体の地中埋設部に取り付け、柱状立設体が転倒したり、沈下したりしないようにするための根かせに関する。
【背景技術】
【０００２】
根かせは、電柱や支柱などの柱状立設体（以下、主として「電柱」という。）の地中埋設部に取り付けられるものであり、一般的に、電柱に水平姿勢に宛がわれる本体部と、電柱と前記本体部とを一体化する固定具とを備えている。
【０００３】
本体部は、片面に電柱の側面を宛がう基部から両方向に支持部を設け、基部と支持部との境界部分に一対の通孔を形成したものとされている。また、固定具は、先端にネジを形成したＵバンド部とナットなどの締結具とを組み合わせたものとされている。
【０００４】
このような根かせは、固定具のＵバンド部が電柱を半周程度巻き付いて本体部の通孔を貫通し、Ｕバンド部の先端部に締結具を締結することによって電柱を固定している。したがって、この根かせは、電柱の側面から支持部が両方向に突出したものとなっている。そして、支持部は、電柱に架設された電線に対して直角の方向に向けられている。
【０００５】
しかし、電柱の設置にあたり、道路際などに寄せて配置してほしいという要請があるところ、支持部が電線に対して直角の方向に向けられるため、従来の根かせでは、支持部が塀や石などの障害物に干渉したり、他人の私有地内に入り込んでしまったりすることがあることから、電柱を道路際に設置できないことがある。
【０００６】
そこで、電柱を道路際などに寄せて設置することができるようにした根かせが特許文献１に記載されている。この根かせは、図５に示すように、本体部１１０と固定具１２０とを備えている（特許文献１においては、本体部１１０を「根かせ」と記載し、本体部１１０と固定具１２０とを併せて「根かせの締結具」と記載している。）。
【０００７】
本体部１１０は、電柱１の側面に当接する（宛がわれる）受け部１１１を片面に形成した基部１１２から片方に支持部１１３を設け、基部１１２において、受け部１１１側の面から反対側の面まで一対の通孔１１４，１１４を形成したものとされている。
【０００８】
また、固定具１２０は、前記のように、Ｕバンド部１２１と締結具１２２とを組み合わせたものとされている。Ｕバンド部１２１は、電柱１に半周程度巻き付くＵ字状の当て部１２１ａと、前記本体部１１０の各通孔１１４，１１４を貫通し、先端にネジを形成した２本の軸状部１２１ｂ，１２１ｂとから成り、当て部１２１ａの先端部と軸状部１２１ｂ，１２１ｂの基端部とが溶接によって一体化されている。締結具１２２は、Ｕバンド部１２１の軸状部１２１ｂのネジ部に螺合されるナット１２２ａと座金１２２ｂとからなる。
【０００９】
このような根かせによれば、固定具１２０の当て部１２１ａが電柱１を半周程度巻きつき、各軸状部１２１ｂ，１２１ｂが本体部１１０の通孔１１４，１１４を貫通し、固定具１２０の当て部１２１ａと本体部１１０の受け部１１１とが電柱１を挟んだ状態とし固定具１２０が固定具１２０の軸状部１２１ｂ，１２１ｂに締結される。そして、この根かせは、支持部１１３が基部１１２の片方にのみ形成され、他方に形成されていないことから、支持部１１３を形成していない方を他人の私有地側に向けることにより、支持部１１３が傷害物に突き当たらず、また塀などの障害物や他人の私有地内に入り込まないようにして、電柱１を道路際に設置することができる。
【先行技術文献】
【特許文献】
【００１０】
【特許文献１】特開２００６−１２５０２１号公報
【発明の概要】
【発明が解決しようとする課題】
【００１１】
電柱１は、道路際ぎりぎりでなく、道路際からある程度離れて設置してよい場合がある。このような場合においては、基部１１２の片方に所定の長さの支持部１１３を設け、基部１１２の他方にある程度の長さの支持部１１３を設けた根かせを使用する方が電柱１をより安定して支持することができる。しかし、特許文献１に記載された根かせでは、片方にのみ支持部１１３が設けられているため、道路際からある程度離れて設置される電柱１をより安定して支持することができるものとなっていない。
【００１２】
そこで、本発明は、電柱などの柱状立設体を任意の位置に変位させて支持することができるようにした根かせを提供することを課題とする。
【課題を解決するための手段】
【００１３】
本発明に係る根かせは、表面から裏面まで貫通した長孔を長さ方向に設けた一定の長さを有する支持部材と、該支持部材の表面又は裏面上をスライドし、一対の通孔を設けた係止部材と、該係止部材との間に柱状立設体を半周程度巻き付き、両端部が前記係止部材の各通孔から前記支持部材の長孔を貫通し、柱状立設体を係止部材に引き寄せて宛がうとともに、係止部材と前記支持部材とを一体化する固定具と、前記支持部材の表面又は裏面に重ね合わされて固定される拡張支持部材とを備えていることを特徴としている。
【００１４】
この根かせによれば、係止部材と固定具とが柱状立設体を挟む状態とし、係止部材が支持部材の表面又は裏面上をスライドすることにより、柱状立設体を支持部材の端部から中間部までの任意の位置で支持することができる。そして、支持部材の表面又は裏面に重ね合わされて固定された拡張支持部材によって、支持部材に長孔が形成されていても、支持部材が補強される状態となり、また、柱状立設体を安定して支持することができる。
【００１５】
なお、前記固定具は、一対の軸状部が係止部材の通孔から支持部材の長孔を貫通し、この軸状部の少なくとも先端部にネジを形成し、該ネジに螺合するナットを備えていることが好ましい。このような固定具によって、柱状立設体を係止部材に強固に押し付け、係止部材と支持部材とを強固に一体化することができる。
【００１６】
また、前記本発明に係る根かせにおいて、前記拡張支持部材は、前記支持部材の長孔内に挿入される軸部と、支持部材の任意の位置に固定されるように軸部に締結される締結具とを備えていることとが好ましい。
【００１７】
この根かせによれば、拡張支持部材を任意の位置に固定することができるため、地中埋設物の埋設状況の制約を受けずに、拡張支持部材を地中に埋設し、柱状立設体を安定して支持することができる。
【００１８】
また、前記本発明に係る根かせにおいて、前記係止部材は、嵩高に形成され、一対の通孔を長さ方向に長く形成したものであってもよい。
【００１９】
この根かせによれば、支持部材を柱状立設体に対して傾斜した姿勢とすることができる。すなわち、支持部材が柱状立設体に対して傾斜した姿勢となっても、長く形成された係止部材の通孔と支持部材の長孔とが連通するため、固定具が係止具の通孔と支持部材の長孔とを貫通し、柱状立設体を係止部材に押し付け、係止部材と支持部材とを一体化することができる。
【００２０】
また、前記本発明に係る根かせにおいて、前記拡張支持部材は、前記支持部材の長孔と交差する方向の複数本のスライド用孔を設け、該各スライド用孔から突出する掛止用孔を複数設け、該係止用孔から前記支持部材の長孔に挿通される軸部及び該軸部に締結される締結具を備えていてもよい。
【００２１】
この根かせによれば、各スライド用孔に複数段の係止用孔が隣り合って設けられ、隣り合っている係止用孔から支持部材の長孔に軸部が通されることにより、拡張支持部材を立った姿勢とし、隣り合っていない係止用孔から支持部材の長孔に軸部が通されることにより、拡張支持部材を傾斜した姿勢とすることができる。
【発明の効果】
【００２２】
本発明によれば、係止部材が支持部材の表面又は裏面上をスライドし、柱状立設体を支持部材の端部から中間部までの任意の位置に支持することができるため、支持部材が柱状立設体の片方のみ突出し、他方から突出しないようにして、柱状立設体を道路際ぎりぎりなどに設置し、また、支持部材を必要なだけ柱状立設体の他方から突出させ、より安定して柱状立設体を支持する根かせを提供することができる。
【図面の簡単な説明】
【００２３】
【図１】本発明に係る根かせの第１の実施形態を示す概略斜視図である。
【図２】本発明に係る根かせの第１の実施形態を示し、（ａ）は平面図、（ｂ）は正面図である。
【図３】本発明に係る根かせの第２の実施形態を示す正面図である。
【図４】本発明に係る根かせの第３の実施形態であって、（ａ）は第１の状態を示す正面図、（ｂ）は第２の状態を示す正面図である。
【図５】従来の根かせの一例を示す断面平面図である。
【発明を実施するための形態】
【００２４】
〔実施の形態１〕
本発明に係る根かせの第１の実施の形態について図１及び図２を参照しながら説明する。
【００２５】
この根かせは、一定の長さを有する直方体ブロック形状の支持部材１０と、この支持部材１０の表面１１又は裏面１２（いずれの面も表面、裏面となる。）上をスライドする係止部材２０と、電柱や支柱などの柱状立設体（以下、「電柱」という。）１に半周程度巻き付き、電柱１を係止部材２０との間に挟む固定具３０と、支持部材１０の表面１１又は裏面１２に重ね合わされて固定される拡張支持部材４０とを備えている。
【００２６】
前記支持部材１０には、表面１１から裏面１２まで貫通した長孔１３が長さ方向に設けられている。そして、前記係止部材２０は、電柱１の直径よりも広い幅の変形板状に形成され、表面２１から裏面２２に貫通した一対の通孔２３，２３が電柱１の直径と同じ又はほぼ同じ間隔で設けられている。また、係止部材２０が支持部材１０と重なり合う面は平坦に形成され、反対の面には電柱１の側面に沿うように樋形状の凹部２４が形成されている。
【００２７】
そして、固定具３０は、Ｕ字バンド部３１と締結具３２とを組み合わせたものとされている。Ｕ字バンド部３１は、電柱１に半周程度巻き付くＵ字状の当て部３１ａと、前記係止部材２０の通孔２３，２３から支持部材１０の長孔１３を貫通する２本の軸状部３１ｂ，３１ｂを一体化したものとされている。すなわち、当て部３１ａの各先端部と軸状部３１ｂ，３１ｂの基端部とが溶接によって一体化されている。なお、当て部３１ａは、電柱１と広い面積で宛がわれるように平面視Ｕ字形の帯状に形成されることが好ましいが、軸状に形成されてもよい。
【００２８】
また、各軸状部３１ｂ，３１ｂの少なくとも先端部には、雄ネジが形成されている。そして、締結具３２は、この雄ネジに螺合するナット３２ａと座金３２ｂとを組み合わせたものとされる。
【００２９】
そして、拡張支持部材４０は、支持部材１０の幅を広げるための板状部４１と、この板状部４１の中心から突出して支持部材１０の長孔１３を貫通する軸部４２と、この軸部４２に締結される締結具４３とを備え、支持部材１０の任意の位置に固定できるようにされている。板状部４１は、図示したような長方形状とされるほか、図示しない円形状や多角形状としてもよい。また、軸部４２の少なくとも先端部には、雄ネジが形成されている。締結具４３は、軸部４２の雄ネジに螺合するナット４３ａと座金４３ｂとを組み合わせたものとされる。
【００３０】
なお、軸部４２は、頭部を有するボルトによって構成し、板状部４１に貫通穴を形成し、この貫通穴を軸部４２が貫通するようにしてもよいし、基端部を板状部４１に埋め込んだものとしてもよい。
【００３１】
第１の実施形態における根かせは、以上のように構成され、次に使用方法について説明する。
【００３２】
この根かせは、固定具３０のＵ字状の当て部３１ａが電柱１を半周程度巻き付き、係止部材２０の裏面と支持部材１０の表面とが重なり合って、２本の軸状部３１ｂ，３１ｂが係止部材２０の通孔２３，２３から支持部材１０の長孔１３を貫通し、２本の軸状部３１ｂ，３１ｂの先端部が支持部材１０の裏面１２から突出し、この軸状部３１ｂ，３１ｂの先端部に締結具３２，３２を締結することにより、電柱１を取り付けた状態とする。
【００３３】
そして、固定具３０の軸状部３１ｂ，３１ｂが支持部材１０の長孔１３を貫通することにより、係止部材２０は支持部材１０上をスライドすることができる。したがって、電柱１を道路際などに寄せて配置する場合において、道路際から必要な間隔をおいて電柱１を設置する場合に、支持部材１０を電柱１から必要な長さだけ突出させることができる。
【００３４】
したがって、道路際から間隔をおいて設置される電柱１は、片側だけでなく、少なからず他方からも突出している支持部材１０に支持される。なお、電柱１が道路際ぎりぎりに設置される場合は、支持部材１０は片側にのみ突出する。
【００３５】
そして、電柱１は、係止部材２０の凹部２４に嵌る状態とされることにより、位置ずれすることなく、また、鉛直姿勢で支持される。そして、この根かせは、支持部材１０に長孔１３が形成され、長孔１３が形成されていないときよりも強度的に弱くなるとしても、根かせに任意の位置に固定された拡張支持部材４０によって補強されるため、設置された電柱１は、転倒したり沈下したりすることがない。
【００３６】
〔実施の形態２〕
本発明に係る根かせの第２の実施の形態について図３を参照しながら説明する。この根かせは、支持部材１０を傾斜した姿勢とすることができるようにされている。
【００３７】
そのため、この根かせは、係止部材２０を第１の実施形態の係止部材２０よりの嵩高とし、係止部材２０に形成された一対の通孔２３，２３を長さ方向に長く形成している。係止部材２０の中心部は、第１の実施形態と同様、樋形状の凹部２４が形成され、電柱１が宛がわれる。したがって、一対の通孔２３，２３は、電柱１を支持部材１０に宛がった状態において、電柱１の長さ方向に形成される。
【００３８】
そして、固定具３０は、支持部材１０を傾斜した姿勢としたときに斜め向きとなるため（詳しくは後記する。）、Ｕ字状の当て部３１ａは、この斜め向きで電柱１と密着するように、帯状でなく軸状に形成される。したがって、Ｕ字バンド部３１は、当て部３１ａと軸状部３１ｂ，３１ｂとを１本の軸状部材から成形してもよく、また、各軸状部３１ｂ，３１ｂの間隔を変更することができるような材質で形成される。
【００３９】
他の構成は、第１の実施形態と同じであるため、次に、使用方法について説明する。
【００４０】
第２の実施形態の根かせも、第１の実施形態と同じく、固定具３０のＵ字状の当て部３１ａが電柱１を半周程度巻き付き、係止部材２０の裏面２２と支持部材１０の表面１１とが重なり合って、２本の軸状部３１ｂ，３１ｂが係止部材２０の通孔２３，２３から支持部材１０の長孔１３を貫通し、２本の軸状部３１ｂ，３１ｂの先端部が支持部材１０の裏面１２から突出し、この軸状部３１ｂ，３１ｂの先端部に締結具３２を締結する。
【００４１】
そして、第２の実施形態の根かせは、係止部材２０を嵩高に形成し、通孔２３，２３を長く形成していることから、支持部材１０を傾斜した姿勢とすることができる。係止部材２０の通孔２３，２３と傾斜した姿勢の支持部材１０の長孔１３とは、段違いの状態に連通し、したがって、この係止部材２０の通孔２３，２３と支持部材１０の長孔１３とに挿通される固定具３０のＵ字状の当て部３１ａも斜め向きとなる。
【００４２】
なお、支持部材１０の傾斜の角度が大きくなると、連通する係止部材２０の通孔２３，２３と支持部材１０の長孔１３との間隔が拡がるが、Ｕ字バンド部３１が各軸状部３１ｂ，３１ｂの間隔を変更することができるようにされていることにより、各軸状部３１ｂ，３１ｂをこの通孔２３，２３と長孔１３とに挿通することができる。
【００４３】
Ｕ字状の当て部３１ａは、斜め向きに電柱１に巻き付くが、軸状に形成されることにより、電柱１に密着する。そして、係止部材２０は、樋形状の凹部２４が鉛直方向に向けられていることから、電柱１も凹部２４内に鉛直姿勢で宛がわれ、固定具３０の軸状部３１ｂ，３１ｂの先端部が締結具３２によって締結されることによって、この根かせに取り付けられる。
【００４４】
その他、第２の実施形態の根かせにおいても、係止部材２０を支持部材１０に沿ってスライドさせることにより、電柱１を取り付ける位置を変更し、また、拡張支持部材４０が支持部材１０の一端部に固定されるなど、第１の実施形態と同様に使用される。
【００４５】
〔実施の形態３〕
本発明に係る根かせの第３の実施の形態について図４を参照しながら説明する。この根かせは、拡張支持部材４０を傾斜姿勢とし、その傾斜姿勢を確実に維持することができるようにされている。
【００４６】
そのため、この根かせは、拡張支持部材４０を構成している長方形板状の板状部４１が支持部材１０の長孔１３と交差する方向の複数本（図面では２本）のスライド用孔４４，４５を設け、複数（図面では４個）の掛止用孔４６ａ，…４６ｄ，４７ａ，…４７ｄをスライド用孔４４，４５から突出するように設けたものとされている。
【００４７】
この第３の実施形態では、係止部材２０側（図面において左側）のスライド用孔４４を第１のスライド用孔４４、係止部材２０と反対側（図面において右側）のスライド用孔４５を第２のスライド用孔４５という。また、掛止用孔４６ａ，…４６ｄ，４７ａ，…４７ｄは、下から１段目の掛止用孔４６ａ，４７ａ、２段目の掛止用孔４６ｂ，４７ｂ、３段目の掛止用孔４６ｃ，４７ｃ、４段目の係止用孔４６ｄ，４７ｄという。
【００４８】
そして、拡張支持部材４０は、各スライド用孔４４，４５から突出したいずれか１か所の係止用孔４６ａ，…４６ｄ，４７ａ，…４７ｄから支持部材１０の長孔１３を貫通する軸部４２と、この軸部４２の先端部に締結される締結具４３とを備えている。軸部４２は頭部を有するボルトによって構成し、締結具４３は軸部４２の先端部から外れないようにされている。
【００４９】
他の構成は、第１の実施形態と同じであるため、次に、使用方法について説明する。
【００５０】
第３の実施形態の根かせも、第１の実施形態と同じく、固定具３０のＵ字状の当て部３１ａが電柱１を半周程度巻き付き、係止部材２０の裏面２２と支持部材１０の表面１１とが重なり合って、２本の軸状部３１ｂ，３１ｂが係止部材２０の通孔２３，２３から支持部材１０の長孔１３を貫通し、２本の軸状部３１ｂ，３１ｂの先端部が支持部材１０の裏面１２から突出し、この軸状部３１ｂ，３１ｂの先端部に締結具３２を締結する。
【００５１】
そして、拡張支持部材４０は、図４（ａ）に示すような立った姿勢とする場合において、第１のスライド用孔４４から突出した掛止用孔４６ａ，…４６ｄと第２のスライド用孔４５から突出した掛止用孔４７ａ，…４７ｄとは同じ段のものに軸部４２が挿通される。
【００５２】
例えば、図４（ａ）の拡張支持部材４０は、第１，第２のスライド用孔４４，４５からそれぞれ突出した下から３段目の掛止用孔４６ｃ，４７ｃに軸部４２，４２が挿通されることにより、立った姿勢とされて支持部材１０から僅かに上方に突出する。また、図示しないが、第１，第２のスライド用孔４４，４５からそれぞれ突出した下から４段目の掛止用孔４６ｄ，４７ｄに軸部４２，４２が挿通されると、拡張支持部材４０は支持部材１０から上方にほとんど突出しないで立った姿勢とされる。
【００５３】
拡張支持部材４０は逆に、第１，第２のスライド用孔４４，４５からそれぞれ突出した下から１段目の掛止用孔４６ａ，４７ａに軸部４２，４２が挿通されると、支持部材１０から下方にほとんど突出しないで立った姿勢とされ、第１，第２のスライド用孔４４，４５からそれぞれ突出した下から２段目の掛止用孔４６ｂ，４７ｂに軸部４２，４２が挿通されると、支持部材１０から僅かに下方に突出して立った姿勢とされる。このようにして、この根かせは、拡張支持部材４０の上下方向の位置を立った姿勢として調整することができる。
【００５４】
また、拡張支持部材４０は、図４（ｂ）に示すように、傾いた姿勢とすることができる。すなわち、図示したように、第１のスライド用孔４４から突出した下から３段目の掛止用孔４６ｃに軸部４２を挿通し、第２のスライド用孔４５から突出した下から２段目の掛止用孔４７ｂに軸部４２を挿通すると、拡張支持部材４０が図面において左方向に若干傾く。この拡張支持部材４０は、支持部材１０の上側にも下側にも同じだけ突出している。
【００５５】
そして、図示しないが、第１のスライド用孔４４から突出した下から４段目の掛止用孔４６ｄに軸部４２を挿通し、第２のスライド用孔４５から突出した下から２段目の掛止用孔４７ｂに軸部４２を挿通することにより、拡張支持部材４０を更に傾けることができる。なお、拡張支持部材４０は、図面において右方向に傾けることができることはいうまでもない。
【００５６】
このように拡張支持部材４０を傾けることができるようにすることにより、地中にガス管などの障害物が埋められていても、拡張支持部材４０が障害物に干渉しないように埋設することができる。
【００５７】
また、拡張支持部材４０は、各掛止用孔４６ａ，…４６ｄ，４７ａ，…４７ｄに軸部４２が挿通されることにより、板状部４１が軸部４２に支承されるようになり、特に締結具４３を締め付ける作業時において、所期の傾き加減を維持することができる。
【００５８】
また、拡張支持部材４０の傾き加減を変更するときは、軸部４２をスライド用孔を経由して他の掛止用孔４６ａ，…４６ｄ，４７ａ，…４７ｄに入れるようにする。軸部４２の先端部から締結具４３が外れないようにされている場合において、スライド用孔４４，４５を有効に利用することができる。
【００５９】
〔他の実施形態〕
本発明は、前記の実施形態に限定することなく種々変更することができる。前記の第１ないし第３のいずれの実施形態の根かせにおいても、係止部材２０を支持部材１０の中心に固定し、電柱１を支持部材１０の中心で支持するようにしてもよい。
【００６０】
また、第１及び第２の実施形態の根かせにおいても、拡張支持部材４０を傾けた姿勢で支持部材１０に固定してもよい。さらに、拡張支持部材４０に多行他列の掛止用孔を形成し、この掛止用孔に軸状部３１ｂ，３１ｂを挿通してもよい。ただし、この軸状部３１ｂ，３１ｂには、着脱自在の締結具４３が締結される。また、固定具３０のＵ字バンド部３１は、当て部３１ａをＶ字状としてもよい。また、拡張支持部材４０は、軸部４２を備えて支持部材１０の任意の位置に固定するのではなく、支持部材１０の端部に固定したものとしてもよい。
【符号の説明】
【００６１】
１……柱状立設体（電柱）
１０…支持部材
１１…表面
１２…裏面
１３…長孔
２０…係止部材
２３…通孔
３０…固定具
４０…拡張支持部材
４２…軸部
４３…締結具
４４…スライド用孔
４５…スライド用孔
４６ａ，４６ｂ，４６ｃ，４６ｄ…掛止用孔
４７ａ，４７ｂ，４７ｃ，４７ｄ…係止用孔
【図１】
2011084971.tif 000003
【図２】
2011084971.tif 000004
【図３】
2011084971.tif 000005
【図４】
2011084971.tif 000006
【図５】
2011084971.tif 000007